(57)【特許請求の範囲】
【請求項１】
上階側水平部、傾斜部および下階側水平部を有する主枠に設けられ、前記上階側水平部、前記傾斜部および前記下階側水平部を循環移動する複数の踏段を備え、前記踏段における踏板の下階側端部には、円弧部が形成されるエスカレータの踏段装置であって、
隣り合う一対の前記踏段の中の上階側踏段に設けられ、前記上階側踏段および隣り合う一対の前記踏段の中で前記上階側踏段の下階側に隣り合う前記踏段である下階側踏段が前記上階側水平部または前記下階側水平部にある場合に前記上階側踏段と前記下階側踏段との間に形成される凹部に配置される閉塞位置と前記上階側踏段の内側に配置される収納位置との間で変位する閉塞部と、
前記閉塞部を変位させる変位装置とを備え、
前記変位装置は、前記上階側踏段および前記下階側踏段が前記上階側水平部または前記下階側水平部にある場合に前記閉塞部の位置を前記閉塞位置にし、前記上階側踏段および前記下階側踏段が前記傾斜部にある場合に前記閉塞部の位置を前記収納位置にすることを特徴とするエスカレータの踏段装置。
【請求項２】
前記変位装置は、前記上階側踏段に設けられ前記閉塞部の位置が前記収納位置となるように前記閉塞部を付勢する弾性部材と、前記下階側踏段に設けられ、前記上階側踏段および前記下階側踏段が前記上階側水平部または前記下階側水平部にある場合に前記弾性部材の付勢力に逆らって前記閉塞部を持ち上げて前記閉塞部の位置を前記閉塞位置にする連動腕とを有していることを特徴とする請求項１に記載のエスカレータの踏段装置。
【請求項３】
前記連動腕は、前記上階側踏段および前記下階側踏段が前記上階側水平部または前記下階側水平部にある場合に前記閉塞部の位置を前記閉塞位置にする支持位置と、前記上階側踏段および前記下階側踏段が移動経路における反転部分にある場合に前記閉塞部に接触する部分が前記支持位置にある前記部分よりも反転中心部側に位置する傾倒位置との間で変位することを特徴とする請求項２に記載のエスカレータの踏段装置。
【請求項４】
前記変位装置は、前記上階側水平部または前記下階側水平部に設けられる案内レールと、前記閉塞部に設けられ、前記案内レールに案内される作動部材とを有し、
前記案内レールは、前記上階側踏段および前記下階側踏段が前記上階側水平部または前記下階側水平部にある場合に前記閉塞部の位置が前記閉塞位置となるように前記作動部材を案内することを特徴とする請求項１に記載のエスカレータの踏段装置。
【発明の詳細な説明】
【技術分野】
【０００１】
この発明は、複数の踏段が循環移動するエスカレータの踏段装置に関する。
【背景技術】
【０００２】
従来、下階側端部に角部が形成される踏板を有する複数の踏段を備え、踏段が主枠の傾斜部にある場合に、隣り合う一対の踏段のそれぞれの踏板が高さ方向にずれて配置され、踏段が主枠の上階側水平部または下階側水平部にある場合に、隣り合う一対の踏段のそれぞれの踏板が同一平面上に配置されるエスカレータの踏段装置が知られている（例えば、特許文献１参照）。
【先行技術文献】
【特許文献】
【０００３】
【特許文献１】特開平５−１５５５７３号公報
【発明の概要】
【発明が解決しようとする課題】
【０００４】
しかしながら、踏板の下階側端部に角部が形成されているので、隣り合う一対の踏段のそれぞれが傾斜部にある場合に、それぞれの踏段の踏板が高さ方向にずれて配置されて踏板の角部が露出し、利用者が転倒すると踏板の角部に接触してしまう恐れがある。一方、踏板の角部が露出することを防止するために踏板の下階側端部に円弧部を形成すると、隣り合う一対の踏段のそれぞれが上階側水平部または下階側水平部にある場合に、それぞれの踏段の踏板が同一平面上に配置され、それぞれの踏段の踏板の間に凹部が形成されるので、利用者の足または衣服等の異物が凹部に進入すると、その異物がランディングプレートと踏段との間に挟まれてしまう恐れがあるという問題点があった。
【０００５】
この発明は、踏板の下階側端部に円弧部を形成するとともに、隣り合う一対の踏段のそれぞれが上階側水平部または下階側水平部にある場合にそれぞれの踏段の踏板の間に形成される凹部を塞ぐことができるエスカレータの踏段装置を提供するものである。
【課題を解決するための手段】
【０００６】
この発明に係るエスカレータの踏段装置は、上階側水平部、傾斜部および下階側水平部を有する主枠に設けられ、上階側水平部、傾斜部および下階側水平部を循環移動する複数の踏段を備え、踏段における踏板の下階側端部には、円弧部が形成されるエスカレータの踏段装置であって、隣り合う一対の踏段の中の上階側踏段に設けられ、上階側踏段および隣り合う一対の踏段の中で上階側踏段の下階側に隣り合う踏段である下階側踏段が上階側水平部または下階側水平部にある場合に上階側踏段と下階側踏段との間に形成される凹部に配置される閉塞位置と上階側踏段の内側に配置される収納位置との間で変位する閉塞部と、閉塞部を変位させる変位装置とを備え、変位装置は、上階側踏段および下階側踏段が上階側水平部または下階側水平部にある場合に閉塞部の位置を閉塞位置にし、上階側踏段および下階側踏段が傾斜部にある場合に閉塞部の位置を収納位置にする。
【発明の効果】
【０００７】
この発明に係るエスカレータの踏段装置によれば、隣り合う一対の踏段の中の上階側踏段に設けられ、上階側踏段および隣り合う一対の踏段の中で上階側踏段の下階側に隣り合う踏段である下階側踏段が上階側水平部または下階側水平部にある場合に上階側踏段と下階側踏段との間に形成される凹部に配置される閉塞位置と上階側踏段の内側に配置される収納位置との間で変位する閉塞部と、閉塞部を変位させる変位装置とを備え、変位装置は、上階側踏段および下階側踏段が上階側水平部または下階側水平部にある場合に閉塞部の位置を閉塞位置にし、上階側踏段および下階側踏段が傾斜部にある場合に閉塞部の位置を収納位置にするので、隣り合う一対の踏段のそれぞれが傾斜部にある場合に、踏板の下階側端部に角部が形成されず、隣り合う一対の踏段のそれぞれが上階側水平部または下階側水平部にある場合にそれぞれの踏段の踏板の間に形成される凹部が塞がれる。その結果、踏板の下階側端部に円弧部を形成するとともに、隣り合う一対の踏段のそれぞれが上階側水平部または下階側水平部にある場合にそれぞれの踏段の踏板の間に形成される凹部を塞ぐことができる。
【図面の簡単な説明】
【０００８】
【図１】この発明の実施の形態１に係るエスカレータを示す構成図である。
【図２】図１の踏段を示す拡大図である。
【図３】図１の踏段を下階側から視た背面図である。
【図４】図１の上階側踏段および下階側踏段が上階側水平部にある場合のエスカレータを示す拡大図である。
【図５】図３の閉塞装置を示す正面図である。
【図６】図４の上階側踏段および下階側踏段が移動経路における反転部分にある状態を示す正面図である。
【図７】この発明の実施の形態２に係るエスカレータの要部を示す構成図である。
【図８】図７の閉塞部が閉塞位置にある場合の上階側踏段および下階側踏段を示す正面図である。
【図９】この発明の実施の形態３に係るエスカレータの要部を示す構成図である。
【図１０】図９の踏段が傾斜部にある場合のエスカレータを示す正面図である。
【発明を実施するための形態】
【０００９】
実施の形態１．
図１はこの発明の実施の形態１に係るエスカレータを示す構成図である。図において、エスカレータは、上階側階床１００と下階側階床１０１とに渡って設けられ、上階側水平部１１、傾斜部１２および下階側水平部１３を有する主枠１と、主枠１に設けられ、上階側水平部１１、傾斜部１２および下階側水平部１３を循環移動する複数の踏段２と、複数の踏段２を連結する踏段チェーン３とを備えている。図１では、複数の踏段２の中で移動経路の往路側部分に位置する踏段２のみを示しているが、複数の踏段２は、移動経路の帰路側部分および反転部分にも配置されている。
【００１０】
この例では、隣り合う一対の踏段２の中で上階側に位置する踏段２を上階側踏段２Ａとし、隣り合う一対の踏段２の中で上階側踏段２Ａの下階側に隣り合う踏段２を下階側踏段２Ｂとする。
【００１１】
図２は図１の踏段２を示す拡大図、図３は図１の踏段２を下階側から視た背面図、図４は図１の上階側踏段２Ａおよび下階側踏段２Ｂが上階側水平部１１にある場合のエスカレータを示す拡大図である。踏段２は、利用者が乗る踏板２１と、踏板２１に固定されたライザ２２とを有している。踏板２１は、踏段２が移動経路における往路側部分に位置する場合に、上面が水平面と一致するように配置される。ライザ２２は、踏段２が移動経路における往路側部分に位置する場合に、踏板２１の下階側端部から下方に延びるように配置される。この例で、踏板２１の下階側端部とは、踏段２が移動経路における往路側部分に位置する場合であって上方から踏段２を視た場合に、踏板２１における下階側階床１０１側の端部となる部分である。
【００１２】
踏板２１の下階側端部には、円弧部２１１が形成されている。上階側踏段２Ａおよび下階側踏段２Ｂが上階側水平部１１または下階側水平部１３にある場合に、上階側踏段２Ａおよび下階側踏段２Ｂの間には、凹部２１２が形成される。
【００１３】
踏板２１の下階側端部およびライザ２２には、高さ方向に延びた第１溝２３が形成されている。第１溝２３は、踏板２１の下階側端部からライザ２２まで連続して形成されている。ライザ２２に形成された第１溝２３の部分は、ライザ２２における高さ方向全域に渡って形成されている。第１溝２３は、踏段２の幅方向両端部のそれぞれに形成されている。
【００１４】
また、踏板２１の下階側端部およびライザ２２には、高さ方向に延びた第２溝２４が形成されている。第２溝２４は、踏板２１の下階側端部からライザ２２まで連続して形成されている。ライザ２２に形成された第２溝２４の部分は、ライザ２２の上部にのみ形成されている。第２溝２４は、一対の第１溝２３の間に形成されている。複数の第２溝２４が幅方向に並べて形成されている。
【００１５】
また、エスカレータは、踏段２に設けられる閉塞装置４と、閉塞装置４を変位させる変位装置５Ａとを有している。
【００１６】
図５は図３の閉塞装置４を示す正面図である。閉塞装置４は、踏段２の幅方向に並べられた複数の閉塞部４１と、それぞれの閉塞部４１に連結された回動軸４２とを有している。それぞれの閉塞部４１は、回動軸４２が回動することによって、同時に回動する。また、それぞれの閉塞部４１は、凹部２１２に配置される閉塞位置と、踏段２の内側に配置される収納位置との間で変位する。
【００１７】
図２、図３および図４に示すように、それぞれの閉塞部４１は、第１溝２３または第２溝２４を通って、閉塞位置と収納位置との間で変位する。
【００１８】
変位装置５Ａは、上階側踏段２Ａに設けられ閉塞部４１の位置が収納位置となるように閉塞部４１を付勢する引張ばね（弾性部材）５１と、下階側踏段２Ｂに設けられ、上階側踏段２Ａおよび下階側踏段２Ｂが上階側水平部１１または下階側水平部１３にある場合に引張ばね２４１の付勢力に逆らって閉塞部４１を持ち上げて閉塞部４１の位置を閉塞位置にする連動腕５２とを有している。
【００１９】
連動腕５２は、下階側踏段２Ｂにおける幅方向両端部のそれぞれに配置されている。それぞれの連動腕５２は、第１溝２３に挿入されている。また、それぞれの連動腕５２は、複数の閉塞部４１における幅方向両端部のそれぞれに配置された一対の閉塞部４１の下方に配置されている。
【００２０】
図６は図４の上階側踏段２Ａおよび下階側踏段２Ｂが移動経路における反転部分にある状態を示す正面図である。連動腕５２は、上階側踏段２Ａおよび下階側踏段２Ｂが上階側水平部１１および下階側水平部１３にある場合に閉塞部４１の位置を閉塞位置にする支持位置と、上階側踏段２Ａおよび下階側踏段２Ｂが移動経路における反転部分にある場合に閉塞部４１に接触する部分５２１が支持位置にある連動腕５２における閉塞部４１と接触する部分５２１よりも反転中心部側に位置する傾倒位置との間で変位する。
【００２１】
変位装置５Ａは、踏板２１と連動腕５２とに渡って設けられた連動腕維持部材５３をさらに有している。連動腕維持部材５３は、ばねを有している。連動腕維持部材５３は、ばねの弾性力を用いて、上階側踏段２Ａおよび下階側踏段２Ｂが上階側水平部１１および下階側水平部１３にある場合に連動腕５２の位置を支持位置にする。また、連動腕維持部材５３は、上階側踏段２Ａおよび下階側踏段２Ｂが移動経路における反転部分にある場合に、上階側踏段２Ａが下階側踏段２Ｂよりも下方に移動することにともなって、連動腕５２の位置を傾倒位置にする。これにより、上階側踏段２Ａおよび下階側踏段２Ｂが移動経路における帰路側部分から往路側部分に戻った場合に、連動腕５２が閉塞部４１よりも下方に配置される。連動腕維持部材５３の弾性力は、引張ばね５１の付勢力よりも大きくなっている。したがって、連動腕５２は、引張ばね５１の付勢力に逆らって閉塞部４１の位置を閉塞位置にすることができる。なお、閉塞位置にある閉塞部４１が利用者に踏まれる等の強い力が上方から加えられた場合には、連動腕５２は、連動腕維持部材５３の弾性力に逆らって、支持位置から傾倒位置に向かって変位する。これにより、閉塞部４１に加えられる衝撃を緩和することができる。
【００２２】
また、エスカレータは、閉塞部４１が利用者によって踏まれていることを検出する検出部（図示せず）と、検出部の検出結果に基づいて警報する警報装置（図示せず）をさらに備えている。これにより、利用者が閉塞部４１を踏んでいる場合に、利用者に注意を喚起させることができる。
【００２３】
また、エスカレータは、閉塞部４１の内部に設けられた照明装置（図示せず）をさらに備えている。これにより、閉塞部４１に対する注意を利用者に喚起させることができる。
【００２４】
なお、エスカレータは、閉塞部４１と踏板２１との間の隙間に設けられるローラをさらに備えてもよい。これにより、閉塞部４１と踏板２１との間に異物が挟まれることを抑制することができる。
【００２５】
エスカレータの踏段装置は、踏段２、閉塞装置４、変位装置５Ａ、閉塞部４１が利用者によって踏まれていることを検出する検出部、警報装置および照明装置から構成されている。
【００２６】
次に、エスカレータの動作について説明する。上階側踏段２Ａおよび下階側踏段２Ｂが傾斜部１２に位置する場合には、踏板２１の下階側端部に円弧部２１１が形成されており、閉塞部４１の位置が引張ばね５１の付勢力によって収納位置になるので、円弧部２１１が露出される。
【００２７】
一方、上階側踏段２Ａおよび下階側踏段２Ｂが上階側水平部１１および下階側水平部１３に位置する場合には、下階側踏段２Ｂの連動腕５２が引張ばね２４１の付勢力に逆らって上階側踏段２Ａに設けられた閉塞部４１を収納位置から閉塞位置に変位させる。これにより、凹部２１２に閉塞部４１が配置され、凹部２１２が塞がれる。
【００２８】
上階側踏段２Ａおよび下階側踏段２Ｂが移動経路における反転部分に位置する場合には、連動腕５２が閉塞部４１を支持した状態で支持位置から傾倒位置に変位する。これにより、上階側踏段２Ａおよび下階側踏段２Ｂが帰路側部分から往路側部分に戻った場合に、連動腕５２が閉塞部４１よりも下方に配置される。
【００２９】
以上説明したように、この発明の実施の形態１に係るエスカレータの踏段装置によれば、上階側踏段２Ａに設けられ、上階側踏段２Ａおよび下階側踏段２Ｂが上階側水平部１１および下階側水平部１３にある場合に上階側踏段２Ａと下階側踏段２Ｂとの間に形成される凹部２１２に配置される閉塞位置と上階側踏段２Ａの内側に配置される収納位置との間で変位する閉塞部４１と、閉塞部４１を変位させる変位装置５Ａとを備え、変位装置５Ａは、上階側踏段２Ａおよび下階側踏段２Ｂが上階側水平部１１および下階側水平部１３にある場合に閉塞部４１の位置を閉塞位置にし、上階側踏段２Ａおよび下階側踏段２Ｂが傾斜部１２にある場合に閉塞部４１の位置を収納位置にするので、上階側踏段２Ａおよび下階側踏段２Ｂが傾斜部１２にある場合に、上階側踏段２Ａの踏板２１の下階側端部に角部が形成されず、上階側踏段２Ａおよび下階側踏段２Ｂが上階側水平部１１または下階側水平部１３にある場合に上階側踏段２Ａおよび下階側踏段２Ｂのそれぞれの踏板２１の間に形成される凹部２１２が塞がれる。その結果、上階側踏段２Ａの踏板２１の下階側端部に円弧部２１１を形成するとともに、上階側踏段２Ａおよび下階側踏段２Ｂが上階側水平部１１または下階側水平部１３にある場合に上階側踏段２Ａおよび下階側踏段２Ｂの踏板２１の間に形成される凹部２１２を塞ぐことができる。
【００３０】
また、このエスカレータの踏段装置は、変位装置５Ａが、上階側踏段２Ａに設けられ閉塞部４１の位置が収納位置となるように閉塞部４１を付勢する引張ばね５１と、下階側踏段２Ｂに設けられ、上階側踏段２Ａおよび下階側踏段２Ｂが上階側水平部１１または下階側水平部１３に位置する場合に引張ばね５１の付勢力に逆らって閉塞部４１を持ち上げて閉塞部４１の位置を閉塞位置にする連動腕５２とを有しているので、踏段２に変位装置５Ａを取り付けることができる。
【００３１】
また、連動腕５２は、上階側踏段２Ａおよび下階側踏段２Ｂが上階側水平部１１および下階側水平部１３にある場合に閉塞部４１の位置を閉塞位置にする支持位置と、上階側踏段２Ａおよび下階側踏段２Ｂが移動経路における反転部分にある場合に閉塞部４１に接触する部分５２１が支持位置にある連動腕５２の部分５２１よりも反転中心部側に位置する傾倒位置との間で変位するので、上階側踏段２Ａおよび下階側踏段２Ｂが帰路側部分から往路側部分に移動した場合に、連動腕５２が閉塞部４１の下方に配置される。
【００３２】
実施の形態２．
図７はこの発明の実施の形態２に係るエスカレータの要部を示す構成図である。変位装置５Ｂは、一端部５４１が閉塞部４１に回動可能に接続された第１回動軸５４と、一端部５５１が第１回動軸５４の他端部５４２に回動可能に接続された第２回動軸５５とを有している。第２回動軸５５の他端部５５２は、下階側踏段２Ｂの踏板２１の上階側端部に回動可能に接続されている。第１回動軸５４は、閉塞部４１における回動軸から離れた部分であって、回動軸よりも、閉塞部４１における凹部２１２内に配置される部分に近い部分に接続されている。
【００３３】
上階側踏段２Ａおよび下階側踏段２Ｂが傾斜部１２にある場合に、変位装置５Ｂは、閉塞部４１の位置を収納位置にする。
【００３４】
図８は図７の閉塞部４１が閉塞位置にある場合の上階側踏段２Ａおよび下階側踏段２Ｂを示す正面図である。上階側踏段２Ａおよび下階側踏段２Ｂが上階側水平部１１および下階側水平部１３にある場合に、第１回動軸５４および第２回動軸５５が折りたたまれる。このとき、閉塞部４１は、収納位置から閉塞位置に変位する。上階側踏段２Ａおよび下階側踏段２Ｂが移動経路における反転部分にある場合には、上階側踏段２Ａと下階側踏段２Ｂとの間の距離の変化に対応して、第１回動軸５４および第２回動軸５５が回動する。その他の構成は、実施の形態１と同様である。なお、第２回動軸５５の他端部５５２と下階側踏段２Ｂの踏板２１との間には、実施の形態１に記載の連動腕維持部材５３のようなばねを備えてもよい。
【００３５】
以上説明したように、この発明の実施の形態２に係るエスカレータの踏段装置によれば、上階側踏段２Ａの踏板２１の下階側端部に円弧部２１１を形成するとともに、上階側踏段２Ａおよび下階側踏段２Ｂが上階側水平部１１または下階側水平部１３にある場合に上階側踏段２Ａおよび下階側踏段２Ｂの踏板２１の間に形成される凹部２１２を塞ぐことができる。
【００３６】
実施の形態３．
図９はこの発明の実施の形態３に係るエスカレータの要部を示す構成図、図１０は図９の踏段２が傾斜部にある場合のエスカレータを示す正面図である。変位装置５Ｃは、上階側水平部１１、傾斜部１２および下階側水平部１３に設けられる案内レール５６と、閉塞部４１に設けられ、案内レール５６に案内される作動部材５７とを有している。作動部材５７は、一端部が閉塞部４１に回動可能に接続された回動軸５７１と、回動軸５７１の他端部に設けられ、案内レール５６を転動するローラ５７２とを有している。案内レール５６は、踏段２が上階側水平部１１および下階側水平部１３にある場合に閉塞部４１が閉塞位置になるように作動部材５７を案内する。また、案内レール５６は、踏段２が傾斜部１２にある場合に閉塞部４１が収納位置になるように作動部材５７を案内する。その他の構成は、実施の形態１と同様である。なお、図９および図１０には、隣り合う踏段２の中で上階側踏段２Ａのみを示している。
【００３７】
以上説明したように、この発明の実施の形態３に係るエスカレータの踏段装置によれば、変位装置５Ｃは、上階側水平部１１および下階側水平部１３に設けられる案内レール５６と、閉塞部４１に設けられ、案内レール５６に案内される作動部材５７とを有し、案内レール５６は、上階側踏段２Ａおよび下階側踏段２Ｂが上階側水平部１１および下階側水平部１３にある場合に閉塞部４１が閉塞位置になるように作動部材５７を案内するので、踏段２の踏板２１の下階側端部に円弧部２１１を形成するとともに、上階側踏段２Ａおよび下階側踏段２Ｂが上階側水平部１１または下階側水平部１３にある場合に上階側踏段２Ａおよび下階側踏段２Ｂの踏板２１の間に形成される凹部２１２を塞ぐことができる。
【００３８】
なお、上記実施の形態３では、案内レール５６が上階側水平部１１、傾斜部１２および下階側水平部１３に設けられる構成について説明したが、案内レール５６が上階側水平部１１および下階側水平部１３に設けられる構成、または、案内レール５６が上階側水平部もしくは下階側水平部１３に設けられる構成であってもよい。
【００３９】
また、各上記実施の形態では、上階側踏段２Ａおよび下階側踏段２Ｂが上階側水平部１１および下階側水平部１３の何れにある場合であっても、閉塞部４１が凹部２１２を塞ぐ構成について説明したが、上階側踏段２Ａおよび下階側踏段２Ｂが上階側水平部１１および下階側水平部１３の何れか一方にある場合に、閉塞部４１が凹部２１２を塞ぐ構成であってもよい。
【符号の説明】
【００４０】
１  主枠、２  踏段、２Ａ  上階側踏段、２Ｂ  下階側踏段、３  踏段チェーン、４  閉塞装置、５Ａ、５Ｂ、５Ｃ  変位装置、１１  上階側水平部、１２  傾斜部、１３  下階側水平部、２１  踏板、２２  ライザ、２３  第１溝、２４  第２溝、４１  閉塞部、４２  回動軸、５１  引張ばね（弾性部材）、５２  連動腕、５３  連動腕維持部材、５４  第１回動軸、５５  第２回動軸、５６  案内レール、５７  作動部材、１００  上階側階床、１０１  下階側階床、２１１  円弧部、２１２  凹部、５２１  部分、５４１  一端部、５４２  他端部、５５１  一端部、５５２  他端部、５７１  回動軸、５７２  ローラ。
【図１】
0006415379.tif 000002
【図２】
0006415379.tif 000003
【図３】
0006415379.tif 000004
【図４】
0006415379.tif 000005
【図５】
0006415379.tif 000006
【図６】
0006415379.tif 000007
【図７】
0006415379.tif 000008
【図８】
0006415379.tif 000009
【図９】
0006415379.tif 000010
【図１０】
0006415379.tif 000011